(57)【特許請求の範囲】
【請求項１】
シートバックへの取付けのための付属品組立体であって、
前記シートバックに取り付けられるように構成された支持構造体と、
前記支持構造体によって動作可能に支持され、スクリーンを含む電子デバイスと、
前記電子デバイスによって動作可能に支持されるハンガーであって、前記ハンガーが前記スクリーンを遮らないように、前記スクリーンから離間して配置されるハンガーと
を備え、
前記ハンガーは、人間の肩のように形作られ、本体と、前記本体から互いに反対方向に延在する第１のアーム及び第２のアームを含み、
前記第１のアームは、第１の部分と第１の肘部を含み、
前記第２のアームは、第２の部分と第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記電子デバイスの周囲縁部を越えて延在し、
前記ハンガーの前記第１の部分及び前記第２の部分は、前記スクリーンから離間しており、これにより、前記ハンガーによって前記スクリーンが遮られることなく前記スクリーンの全体が見え、前記第１の部分及び前記第２の部分が衣類を支持するように位置決めされている、
付属品組立体。
【請求項２】
前記電子デバイスが周囲縁部を含み、前記ハンガーが第１の部分と第２の部分とを含み、前記第１の部分と前記周囲縁部との間に第１の開口部が配置され、前記第２の部分と前記周囲縁部との間に第２の開口部が配置されるように、前記第１の部分と前記第２の部分がそれぞれ前記周囲縁部を少なくとも部分的に越えて延在している、請求項１に記載の付属品組立体。
【請求項３】
前記電子デバイスが、第１の側と、前記第１の側とは反対の第２の側とを含み、前記スクリーンが前記第１の側に配置され、前記ハンガーおよび前記支持構造体がそれぞれ前記第２の側に係合する、請求項１に記載の付属品組立体。
【請求項４】
前記電子デバイスが、互いに対向しており互いに離間している第１の縁部と第２の縁部とを含み、前記電子デバイスが、互いに対向しており互いに離間している第３の縁部と第４の縁部とを含み、前記第１、第２、第３、および第４の縁部が協働して周囲縁部を形成するように、前記第１および第２の縁部が、それぞれ前記第３および第４の縁部に隣接して配置され、前記ハンガーが前記第３および第４の縁部に係合し、前記第１および第２の縁部からは離間して配置されている、請求項１に記載の付属品組立体。
【請求項５】
前記電子デバイスが、互いに対向しており互いに離間している第１の縁部及び第２の縁部を含み、
前記電子デバイスが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーの前記第１の部分の少なくとも一部分及び前記第２の部分の少なくとも一部分が、前記電子デバイスの前記第１の縁部を越えて延在し、
前記第１の肘部が前記電子デバイスの前記第３の縁部を越えて延在し、前記第２の肘部が前記電子デバイスの前記第４の縁部を越えて延在する、請求項１に記載の付属品組立体。
【請求項６】
前記電子デバイスおよび前記ハンガーが、前記本体のところで動作可能に互いに取り付けられ、前記本体は、前記第３の縁部と前記第４の縁部の間の中央に配置されている、請求項５に記載の付属品組立体。
【請求項７】
シートバックに取り付けられるように構成された付属品組立体であって、
前記シートバックに取り付けられるように構成された支持構造体と、
スクリーンを含み、周囲縁部に取り囲まれた電子デバイスであって、前記支持構造体によって動作可能に支持される電子デバイスと、
前記電子デバイスに取り付けられるように構成されるハンガーと
を備え、
前記ハンガーは、人間の肩のように形作られるように、第１の部分及び前記第１の部分から延在する第２の部分を含み、
前記ハンガーは、前記第１の部分及び前記第２の部分が前記スクリーンからずれた状態で前記電子デバイスによって動作可能に支持されており、これにより、前記ハンガーによって前記スクリーンが遮られることなく前記スクリーンの全体が見え、前記第１の部分及び前記第２の部分が衣類を支持するように位置決めされている、
付属品組立体。
【請求項８】
前記第１の部分及び前記第２の部分が、それぞれ、前記周囲縁部を少なくとも部分的に越えて延在し、これにより、前記第１の部分と前記周囲縁部との間に第１の開口部が配置され、前記第２の部分と前記周囲縁部との間に第２の開口部が配置される、請求項７に記載の付属品組立体。
【請求項９】
前記電子デバイスは、第１の側と前記第１の側と反対の第２の側を含み、前記スクリーンは、前記第１の側に配置され、前記ハンガーは前記第２の側に係合する、請求項７に記載の付属品組立体。
【請求項１０】
前記電子デバイスが、互いに対向しており互いに離間している第１の縁部及び第２の縁部を含み、
前記電子デバイスが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーは前記第３の縁部及び前記第４の縁部に係合し、前記第１の縁部及び前記第２の縁部から離間している、請求項７に記載の付属品組立体。
【請求項１１】
前記ハンガーは、本体と、前記本体から互いに反対方向に延在する第１のアーム及び第２のアームを含み、
前記第１のアームは前記第１の部分及び第１の肘部を含み、
前記第２のアームは前記第２の部分及び第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記電子デバイスの前記周囲縁部を越えて延在する、請求項７に記載の付属品組立体。
【請求項１２】
前記電子デバイスが、互いに対向しており互いに離間している第１の縁部と第２の縁部とを含み、前記電子デバイスが、互いに対向しており互いに離間している第３の縁部と第４の縁部とを含み、前記第１、第２、第３、および第４の縁部が協働して前記周囲縁部を形成するように、前記第１および第２の縁部が、それぞれ前記第３および第４の縁部に隣接して配置され、
前記ハンガーの前記第１の部分の少なくとも一部分及び前記第２の部分の少なくとも一部分が、前記電子デバイスの前記第１の縁部を越えて延在し、
前記第１の肘部が前記電子デバイスの前記第３の縁部を越えて延在し、前記第２の肘部が前記電子デバイスの前記第４の縁部を越えて延在する、請求項１１に記載の付属品組立体。
【請求項１３】
前記電子デバイスおよび前記ハンガーが、前記本体のところで動作可能に互いに取り付けられ、前記本体は、前記第３の縁部と前記第４の縁部の間の中央に配置されている、請求項１２に記載の付属品組立体。
【請求項１４】
車両のシートに動作可能に連結されるように構成される付属品組立体であって、
前記車両のシートに取り付けられるように構成された支持構造体と、
第１の側、および前記第１の側と反対の第２の側を有するハウジングであって、周囲縁部によって取り囲まれ、前記第１の側で電子デバイスのスクリーンを支持するように構成され、前記支持構造体によって動作可能に支持されるハウジングと、
本体と前記本体の対向する端部から延在している第１および第２の部分とを有する、前記ハウジングによって動作可能に支持されるハンガーと、
を備え、
前記ハンガーが前記ハウジングの前記第１の側を遮らないように、前記ハンガーは、前記ハウジングの前記第２の側に取外し可能に固定されるように構成され、
前記ハンガーは、前記付属品組立体が前記車両のシートに動作可能に連結されるとき、前記ハウジングと前記車両のシートの間に位置決めされるように構成される、付属品組立体。
【請求項１５】
前記第１の部分及び前記第２の部分が、それぞれ、前記周囲縁部を少なくとも部分的に越えて延在し、これにより、前記第１の部分と前記周囲縁部との間に第１の開口部が配置され、前記第２の部分と前記周囲縁部との間に第２の開口部が配置される、請求項１４に記載の付属品組立体。
【請求項１６】
前記ハウジングが、互いに対向しており互いに離間している第１の縁部と第２の縁部とを含み、前記ハウジングが、互いに対向しており互いに離間している第３の縁部と第４の縁部とを含み、前記第１、第２、第３、および第４の縁部が協働して前記周囲縁部を形成するように、前記第１および第２の縁部が、それぞれ前記第３および第４の縁部に隣接して配置され、
前記ハンガーが、前記第３の縁部及び前記第４の縁部に係合し、前記第１の縁部及び前記第２の縁部から離間している、請求項１４に記載の付属品組立体。
【請求項１７】
前記ハンガーは、さらに、前記本体から互いに反対方向に延在する第１のアーム及び第２のアームを含み、
前記第１のアームは、前記第１の部分と第１の肘部を含み、
前記第２のアームは、前記第２の部分と第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記ハウジングの前記周囲縁部を越えて延在する、請求項１４に記載の付属品組立体。
【請求項１８】
前記ハウジングが、互いに対向しており互いに離間している第１の縁部及び第２の縁部を含み、
前記ハウジングが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーの前記第１の部分の少なくとも一部分及び前記第２の部分の少なくとも一部分が、前記ハウジングの前記第１の縁部を越えて延在し、
前記第１の肘部が前記ハウジングの前記第３の縁部を越えて延在し、前記第２の肘部が前記ハウジングの前記第４の縁部を越えて延在し、
前記ハウジングおよび前記ハンガーが、前記本体のところで動作可能に互いに取り付けられるように構成され、前記本体は、前記第３の縁部と前記第４の縁部の間の中央に配置されている、
請求項１７に記載の付属品組立体。
【請求項１９】
さらに、前記ハウジング及び前記ハウジングによって支持される前記スクリーンを含む電子デバイスを備え、
前記電子デバイスは、第１の側と前記第１の側と反対の第２の側とを含み、
前記スクリーンは前記第１の側に配置され、前記ハンガーは前記第２の側に係合するように構成されている、請求項１４に記載の付属品組立体。
【発明の詳細な説明】
【技術分野】
【０００１】
[0001]関連出願の相互参照
本願は、参照によりその全体が本願に組み込まれる２０１５年１１月２日に出願された米国仮特許出願第６２／２４９，９３３号の利益およびその優先権を主張する。
【０００２】
[0002]本開示は、シートバックへの取付けのための付属品組立体に関する。
【背景技術】
【０００３】
[0003]スマートフォン、タブレット、携帯情報端末（ＰＤＡ）、全地球測位システム（ＧＰＳ）などの電子デバイスは、車両の乗員によって広く使用される。これらの電子デバイスのいくつかは、携帯性という利益を提供し、乗員がそのデバイスを持ち込み車両内で使用することを可能にするとともに、乗員が車両から降りるときにはそのデバイスを持ち出すことを可能にする。車両と一体化させることができる電子デバイスもある。
【発明の概要】
【発明が解決しようとする課題】
【０００４】
本発明の課題の一つは、シートバックへの取付けのための付属品組立体を提供することである。
【課題を解決するための手段】
【０００５】
[0004]本開示は、車両のシートに取り付けられるように構成された支持構造体を含む付属品組立体を提供する。付属品組立体は、支持構造体によって支持される電子デバイスも含む。電子デバイスはスクリーンを含む。付属品組立体は、支持構造体に結合された、スクリーンを遮らないようにスクリーンから離間したハンガーをさらに含む。
【０００６】
[0005]また本開示は、車両のシートに取り付けられるように構成された支持構造体を含む付属品組立体を提供する。付属品組立体は、支持構造体に結合された、電子デバイスに取り付けられるように構成されたハンガーも含む。
【０００７】
[0006]詳細な記述、および図面または図は、本開示を裏付け説明するものであるが、本開示の特許請求の範囲は、特許請求の範囲によってのみ定義される。特許請求の範囲を実施するための最良のモードおよび他の実施形態のうちのいくつかが詳細に記述されているが、添付の特許請求の範囲において定義される本開示を実践するための様々な代替的な設計および実施形態が存在している。
【図面の簡単な説明】
【０００８】
【図１】[0007]電子デバイスがシートに取り付けられた状態の電子デバイスおよびハンガーを含む付属品組立体の概略斜視図であり、衣類を支持するように構成されたハンガーを示す図である。
【図２】[0008]図１のシートに取り付けられた付属品組立体の概略側面図である。
【図３】[0009]電子デバイスおよびハンガーの概略前面図である。
【図４】[0010]支持構造体も示す電子デバイスおよびハンガーの概略背面図である。
【図５】[0011]支持構造体も示す電子デバイスおよびハンガーの概略上面図である。
【図６】[0012]ハンガーの概略斜視図である。
【図７】[0013]電子デバイスおよび支持構造体の概略背面図である。
【図８】[0014]シートバックおよびヘッドレストの概略部分斜視図である。
【図９】[0015]シートバック、およびシートバックから離間した支持構造体の概略部分斜視図である。
【図１０】[0016]シートバック、およびシートバックに重なった支持構造体の一部分の概略部分斜視図である。
【図１１】[0017]複数のナットおよびワッシャが支持構造体から分解された状態の、シートバック、およびシートバックに重なった支持構造体の一部分の概略部分斜視図である。
【図１２】[0018]シートバック、および支持構造体のカバープレートの概略部分斜視図である。
【発明を実施するための形態】
【０００９】
[0019]あらゆる方向の参照（例えば、〜上、〜下、上方、上、下方、下、上部、下部、左、右、垂直な、水平な、など）は、読者の理解を助けるために図面に関して説明的に使用され、添付の特許請求の範囲によって定義されるような本開示の範囲に対する（例えば位置、配向、使用などへの）制限を表すものではないということを当業者は認識するであろう。
【００１０】
[0020]図を参照すると、いくつかの図を通して同様の参照符号は同様のまたは対応した部分を示しており、付属品組立体１０は図１および図２において全体的に示されている。
[0021]図２において最も良く示されるように、付属品組立体１０は、車両のシート１４に取り付けられるように構成された支持構造体１２を含む。シート１４は任意の適切な構成とすることができ、図１および図２は非限定的な一例を示す。支持構造体１２は、１つまたは複数の部片を含むことができ、そのうちのいくつかが以下でさらに検討される。
【００１１】
[0022]続いて図２では、付属品組立体１０は、支持構造体１２によって支持されている電子デバイス１６も含む。電子デバイス１６は、ビデオスクリーン、携帯情報端末（ＰＤＡ）、全地球測位システム、タブレット、スマートフォン、セルフォン、タブレットまたはスマートフォンなどのハンドヘルド電子デバイスなどを含むことができる。電子デバイス１６は、支持構造体１２に恒久的に取り付けられてもよく、すなわち車両内に残っていてもよく、または電子デバイス１６は、支持構造体１２から取外し可能であってもよく、すなわち車両から取外し可能であってもよい。
【００１２】
[0023]図１に示されるように、電子デバイス１６はスクリーン１８を含む。スクリーン１８は、ユーザが見るための視覚エリアを提供する。全体的に図１および図２で示されるように、電子デバイス１６は、シート１４の後ろに位置しているシートバック（換言すれば、背もたれ）に取り付けられる。別の言い方をすると、電子デバイス１６は、シート１４の後部側２０に対して位置付けることができる。したがって電子デバイス１６は、車両の後部シートに面することができ、こうして後部シートに位置する乗員に娯楽を提供することができる。
【００１３】
[0024]図２を参照すると、付属品組立体１０は、支持構造体１２に結合されたハンガー２２をさらに含む。支持構造体１２は、電子デバイス１６が車両に取り付けられるときに電子デバイス１６およびハンガー２２を支持するように構成されたホルダを含むことができる。ハンガー２２は、ホルダに取り付けられるように構成されてもよい。
【００１４】
[0025]さらにハンガー２２は、電子デバイス１６に取り付けられるように構成されてもよい。ハンガー２２は、そこに衣類２４をかけるように構成される（ハンガー２２および電子デバイス１６を覆う衣類２４を全体的に示すように、図１において仮想線で示された四角２４を参照）。図１を参照すると、ハンガー２２が人間の肩のように形作られ、部分３２、３４によって衣類２４が支持され得るようにハンガー２２を構成することができるように、ハンガー２２は、第１の部分３２と、第１の部分３２から離れるように延在している第２の部分３４とを含むことができる。衣類２４は、ハンガー２２にかけることができるコート、シャツ、スーツジャケットなどとすることができる。衣類２４がハンガー２２に配置されたとき、スクリーン１８は部分的にもしくは完全に覆われる、または遮蔽される。したがって衣類２４をかけるためにハンガー２２が利用される場合、電子デバイス１６のスクリーン１８は見えなくなり得る。組立体１０と一体化したハンガー２２は、本明細書において記述されるように、車両の乗員区分内側の空間の節約、および見た目の美しい外観を提供する。それに加えて電子デバイス１６に取り付けられたハンガー２２によって、車両内で別の位置に別個のハンガーを有する必要がなくなる。
【００１５】
[0026]図１および図２を見ると、電子デバイス１６は第１の側２６と、第１の側２６とは反対の第２の側２８とを含む。周囲縁部３０は、少なくとも電子デバイス１６を取り囲むように、第１の側２６と第２の側２８を連結させる。スクリーン１８は、第１の側２６に配置されており、支持構造体１２は第２の側２８に係合するか、または第２の側２８から延在することができる。支持構造体１２は電子デバイス１６の任意の部分から延在してもよいことが、理解されるべきである。したがって電子デバイス１６が支持構造体１２によって支持されるとき、第１の側２６はシート１４から離れる方に面し、第２の側２８はシート１４に面する。
【００１６】
[0027]第１の部分３２および第２の部分３４がスクリーン１８から離間するように、ハンガー２２は電子デバイス１６に取り付けられる（図３を参照）。したがってハンガー２２はスクリーン１８からずれており、こうしてスクリーン１８全体が遮られることなく見えるようになり、満足のいく視聴体験が提供される。
【００１７】
[0028]再び図１および図２を参照すると、電子デバイス１６は支持構造体１２に取り付けられており、ハンガー２２は電子デバイス１６に取り付けられている。ハンガー２２がスクリーン１８を遮らないように、ハンガー２２は電子デバイス１６に対して任意の適切な位置に配置することができる。さらに衣類２４を床から離れて位置付けるために、ハンガー２２は車両の床から離れて位置付けられる。
【００１８】
[0029]図１および図３に最も良く示されるように、少なくとも第１の部分３２および第２の部分３４は、支持構造体１２の周囲縁部３０の上方に配置することができる。それに加えて図３および図４に示されるように、第１の部分３２と周囲縁部３０との間に第１の開口部３６が画成され、第２の部分３４と周囲縁部３０との間に第２の開口部３８が画成されるように、第１の部分３２および第２の部分３４はそれぞれ周囲縁部３０を少なくとも部分的に越えて延在している。全体的に、ハンガー２２の第１および第２の部分３２、３４は、衣類２４を支持することができる。
【００１９】
[0030]上記で検討したように、電子デバイス１６は周囲縁部３０を含むことができる。より具体的には、電子デバイス１６の周囲縁部３０は、互いに対向しており互いに離間している第１の縁部４０と第２の縁部４２とを含むことができ、電子デバイス１６は、互いに対向しており互いに離間している第３の縁部４４と第４の縁部４６とを含むことができる。第１および第２の縁部４０、４２は、それぞれ第３および第４の縁部４４、４６に隣接して配置されており、それにより、第１、第２、第３、および第４の縁部４０、４２、４４、４６が、協働して全体的に垂直な形状を有する周囲縁部３０が提示される。特定の実施形態では、ハンガー２２は第３および第４の縁部４４、４６に係合し、第１および第２の縁部４０、４２から離間していてもよい。他の実施形態では、ハンガー２２は、第１、第３、および第４の縁部４０、４４、４６に係合し、第２の縁部４２から離間していてもよい。
【００２０】
[0031]図６を参照すると、ハンガー２２は本体５６を含む。本体５６から、第１のアーム４８と第２のアーム５０が互いに反対方向に延在している。より具体的には、それぞれのアーム４８、５０は全体的にフック形状であり、それぞれ第１または第２の部分３２、３４、肘部５３、および手部５７を含む。手部５７が互いに向かって延在するように、手部５７のうちの１つは、対応する肘部５３から遠位端部５２まで延在している。再び図６を参照すると、第１および第２の面５４、５５が全体的に互いに垂直に互いから延在するように、それぞれの手部５７が第１の面５４および第２の面５５を提示している。したがって図４および図６を参照すると、ハンガー２２が電子デバイス１６に取り付けられるとき、第１の面５４はそれぞれの縁部４４、４６に面して配置されてもよく、第２の面５５は、第２の側２８に面して配置されてもよい。より具体的には、アーム４８、５０の第１の面５４は、電子デバイス１６のそれぞれ第３および第４の縁部４４、４６に係合または当接することができ、それに応じてアーム４８、５０の第２の面５５は、電子デバイス１６の第２の側２８に係合または当接する。
【００２１】
[0032]さらに図３および図４を参照すると、ハンガー２２が電子デバイス１６に取り付けられるとき、第１のアーム４８および第２のアーム５０は、互いに反対の方向に電子デバイス１６の周囲縁部３０を少なくとも部分的に越えて外向きに延在している。第１および第２のアーム４８、５０は、衣類２４を支持することができるハンガー２２を形成するための任意の適切な構成であってもよいことが、理解されるべきである。
【００２２】
[0033]再び図６を参照すると、第１のアーム４８の第１の部分３２、および第２のアーム５０の第２の部分３４の断面プロファイルは、先細であってもよく、または他の態様で異なる断面サイズおよび／または形状を有していてもよい。
【００２３】
[0034]図２、図４、および図６を参照すると、本体５６は、前側５８、および前側５８とは反対の後ろ側６０を含むことができる（図４および図６を参照）。前側５８は、シート１４に面することができ、後ろ側６０は電子デバイス１６に面することができる（図２を参照）。前側５８は、文字、グラフィックなどでラベル付けすることができる表面６２を含むことができる。例えば表面６２は、ロゴ、商標などを特定するために印付けすることができる。表面６２は直接ラベル付けされてもよく、またはラベルを有する別個の部片が表面６２に取り付けられてもよい。
【００２４】
[0035]ハンガー２２は、少なくとも１つの第１の取付け特徴部６４を含むことができ（図６を参照）、電子デバイス１６は、少なくとも１つの第２の取付け特徴部６６を含むことができ（図７を参照）、第１と第２の取付け特徴部６４、６６が協働して、ハンガー２２と電子デバイス１６とを互いに取り付ける。第１および第２の取付け特徴部６４、６６は、ハンガー２２と電子デバイス１６とを取り付けるための任意の適切な構成とすることができ、非限定的な例としては、締め具、開口部、穴、スロット、溝、クリップ、タブ、スナップ、摩擦嵌めもしくは締まり嵌め特徴部、接着剤、溶接、半田付けなどが含まれ得る。特定の実施形態では、ハンガー２２および電子デバイス１６は、ハンガー２２と電子デバイス１６とを一部品としてともに一体形成することによって、互いに取り付けられる。したがってこの実施形態では、ハンガー２２と電子デバイス１６とは互いに分離することができず、すなわち、ハンガー２２は電子デバイス１６に恒久的に取り付けられている。したがって特定の実施形態では、ハンガー２２は電子デバイス１６に取り付けおよび取り外しされてもよく、代替的には、ハンガー２２は電子デバイス１６から取外し不可能であってもよい。
【００２５】
[0036]図６および図７を参照すると、第１の取付け特徴部６４は、複数の第１の取付け特徴部６４としてさらに定義することができ、第２の取付け特徴部６６は、複数の第２の取付け特徴部６６としてさらに定義することができる。この実施形態では、第１の取付け特徴部６４のうちの１つが、第２の取付け特徴部６６のうちの１つと協働し、第１の取付け特徴部６４のうちの別の１つが、第２の取付け特徴部６６の別の１つと協働する、などということになる。非限定的な一例として、図６の第１の取付け特徴部６４は、複数のクリップ６４であってもよく、図７の第２の取付け特徴部６６は、複数の穴６６であってもよい。したがってクリップ６４は、それぞれの穴６６に挿入され、およびそれらとかみ合って、ハンガー２２を電子デバイス１６に取り付けるように構成される。
【００２６】
[0037]第１および第２の取付け特徴部６４、６６は、それぞれハンガー２２および電子デバイス１６の任意の適切な位置にあってもよいことが理解されるべきである。例えば第１の取付け特徴部６４のうちの１つまたは複数は、ハンガー２２の本体５６に沿って配置することができる。具体的には、第１の取付け特徴部６４のうちの１つまたは複数は、本体５６の後ろ側６０に沿って配置することができる。さらに第１の取付け特徴部６４のうちの１つまたは複数は、第１および第２のアーム４８、５０に沿って配置することができる。図６の実施形態を参照すると、第１の取付け特徴部６４のうちの３つは、本体５６の後ろ側６０に沿って配置されてもよく、１つの第１の取付け特徴部６４は、対応する遠位端部５２に近接して第１のアーム４８に配置され、別の第１の取付け特徴部６４は、対応する遠位端部５２に近接して第２のアーム５０に配置される。したがって第２の側２８は、少なくとも等しい数の穴６６を画成しており、それぞれがクリップ６４のうちの対応する１つを受けるように構成されている。
【００２７】
[0038]前述したように、ハンガー２２の第１および第２のアーム４８、５０の第１の面５４は、電子デバイス１６の第３および第４の縁部４４、４６に係合することができる。それに加えて図６に示されるように、第１の取付け特徴部６４のうちの少なくとも１つは、それぞれのアーム４８、５０の第２の面５５から延在していてもよい。したがって第１の取付け特徴部６４のうちの１つは、第１のアーム４８の遠位端部５２において、またはそれに近接して配置することができ、第１の取付け特徴部６４のうちの別の１つは、第２のアーム５０の遠位端部５２において、またはそれに近接して配置することができる。
【００２８】
[0039]図６を参照すると、電子デバイス１６は、スクリーン１８を支持し、電子デバイス１６の内部構成要素を覆うハウジング６８を含むことができる。ハウジング６８は、上で検討したように第１の側２６と第２の側２８、ならびに縁部３０、４０、４２、４４、４６を含むことができる。ハウジング６８の第２の側２８は、第２の取付け特徴部６６を含むことができ、第２の取付け特徴部６６は、ハンガー２２の第１の取付け特徴部６４の位置を補完するように第２の側２８に沿って位置付けることができる。
【００２９】
[0040]図１を再度参照すると、支持構造体１２はシート１４に取り付けられるように構成され、したがってシート１４は、電子デバイス１６およびハンガー２２を支持するように構成される。支持構造体１２は、異なる付属品支持組立体１０間での互換性に対応するようにシート１４から取り外すことができる。
【００３０】
[0041]図８を参照すると、シート１４は、乗員の頭を支持するように構成されたヘッドレスト７０と、乗員の背中を支持するように構成されたシートバック７２とを含むことができる。全体的に、ヘッドレスト７０はシートバック７２の上部７４に配置される。全体的に、ハンガー２２の長さは、シートバック７２および／またはヘッドレスト７０の幅に等しいまたはそれより狭くなるように構成することができる。
【００３１】
[0042]ヘッドレスト７０は、それぞれの支柱ホルダ７８を通ってシートバック７２内に摺動式に伸びる複数の支柱７６を含むことができる。したがって全体的に支柱ホルダ７８は、シートバック７２の上部７４に沿って配置することができる。支柱ホルダ７８は、それぞれの支柱７６が中に延在する開口部８０（図９で最も良く示される）を含むことができる。ヘッドレスト７０は、シートバック７２に対して調節可能とすることができる。ヘッドレスト７０の調節を容易にするために、支柱ホルダ７８のうちの少なくとも１つは、車両の乗員によって押下されるように構成されたボタン８２（図２および図８を参照）を含むことができる。ボタン８２が押下されたとき、ヘッドレスト７０および支柱７６は、支柱ホルダ７８の開口部８０内で摺動可能であり、それによりヘッドレスト７０はシートバック７２に向かっておよび／またはそれから離れるように動く。ボタン８２が解放されたとき、ヘッドレスト７０はシートバック７２に対して動くことを制限される。ヘッドレスト７０は、ボタン８２以外の方法によって調節されてもよいことが、理解されるべきである。
【００３２】
[0043]ヘッドレスト７０は、シートバック７２に付属品組立体１０を取り付ける前にシートバック７２から取り外すことができる。前述したように、支持構造体１２は２つ以上の部片を含むことができる。例えば、支持構造体１２は、ベース部材８４を含むことができる（図２、図４、図５、および図９を参照）。ベース部材８４は、軟鋼などの金属から形成することができる。しかし、ベース部材８４を形成するのに他の高強度の材料が使用されてもよいことが理解されるべきである。ベース部材８４は、電子デバイス１６、ハンガー２２、およびハンガー２２にかけられる任意の衣類２４を支持することができる任意の適切な材料から形成される。したがってベース部材８４は、電子デバイス１６、ハンガー２２、およびハンガー２２にかけられる任意の衣類２４の重量を支持するように構成される。したがってベース部材８４は、片持ち力ならびにねじり力を支持することができる。
【００３３】
[0044]それに加えてベース部材８４は、ベースマウント８６と支持フランジ８８とを含むことができる。ベースマウント８６は、シートバック７２によって支持されるように構成される。支持フランジ８８は、ベースマウント８６から延在することができ、支持構造体１２を電子デバイス１６に結合するまたは取り付けるように構成される。特定の実施形態では、支持フランジ８８は、電子デバイス１６のハウジング６８の第２の側２８に結合される。
【００３４】
[0045]図５および図９で最も良く示されるように、ベースマウント８６は、複数の脚部９０を含み、脚部９０のそれぞれがスロット９２を画成している。図９および図１０を参照すると、脚部９０間のそれぞれのスロット９２内に支柱ホルダ７８が配置され、支柱ホルダ７８は部分的に脚部９０に重なっている。したがって脚部９０のそれぞれは、シートバック７２とそれぞれの支柱ホルダ７８との間に挟まれている。
【００３５】
[0046]さらに支持構造体１２は、カバーマウント９４を含むことができる（図１１を参照）。カバーマウント９４は、高強度プラスチックから形成することができる。しかしカバーマウント９４を形成するのに任意の適した材料が使用されてもよい。カバーマウント９４は、ベースマウント８６および支柱ホルダ７８のそれぞれを覆うように配置され、支柱ホルダ７８をそれらの間に挟むように構成される。カバーマウント９４は、支柱ホルダ７８のそれぞれの開口部８０に整合するように構成された複数の通路９６を画成している。ヘッドレスト７０がシートバック７２に再度取り付けられたときに、通路９６は、それぞれの支柱７６を中で受けるように構成される。付属品組立体１０がシートバック７２に取り付けられたときでも、なおヘッドレスト７０はシートバック７２に対して調節可能である。さらにヘッドレスト７０のシートバック７２に対する動きによって、電子デバイス１６、すなわちスクリーン１８またはハンガー２２、の位置がそれに対応して変わることはない。
【００３６】
[0047]図１０および図１１を見ると、１つまたは複数の締め具９８もしくはスタッドがベースマウント８６から延在しており、カバーマウント９４は複数のマウント穴１００を画成しており、ベースマウント８６のそれぞれの締め具９８が、カバーマウント９４のそれぞれのマウント穴を通って配置されている。スタッド９８のそれぞれにナット１０２を固定することができ、それによりカバーマウント９４がベースマウント８６に固定される。
【００３７】
[0048]図２および図１２を参照すると、支持構造体１２は、シートバック７２上のカバーマウント９４を覆うように配置されたカバープレート１０４を含むことができる。カバープレート１０４は、カバーマウント９４および／またはベースマウント８６に締め付け、クリップ留め、ボルト留め、ねじ留め、または他の態様で取付けもしくは固定されるように構成することができる。カバープレート１０４は、シートバック７２への設置時に、工場装着されたような(factory-fitted)見た目を付属品組立体１０に提供するように構成される。さらにカバープレート１０４は、窓１０６を画成することができ（図１２で最も良く示される）、その窓を通して、ヘッドレスト７０の位置を調節するようにボタン８２が延在する、またはアクセス可能である。それに加えてカバープレート１０４は、カバーマウント９４のそれぞれの通路９６および支柱ホルダ７８のそれぞれの開口部８０と整合するように構成された複数の通路１０８を画成することができる。通路１０８は、それぞれの支柱７６を受けるように構成される。
【００３８】
[0049]本開示に関係するさらなる情報は、付記Ａに見いだすことができ、付記Ａは、本明細書に添付され、参照によりその全体が本明細書に組み込まれている。
[0050]本開示を実行するための最良のモードおよび他の実施形態が詳細に記述されたが、本開示に関係する当業者であれば、添付の特許請求の範囲内にある本開示を実践するための様々な代替的な設計および実施形態を認識するであろう。さらに図面において示された実施形態、または本記述おいて言及した様々な実施形態の特徴は、必ずしも互いに独立した実施形態として理解されるべきではない。むしろ、実施形態の例のうちの１つにおいて記述された特徴のそれぞれを、他の実施形態からの１つまたは複数の所望される他の特徴と組み合わせることができ、言葉で記述されていないまたは図面への参照によって記述されていない他の実施形態をもたらすことが可能である。したがって、そのような他の実施形態は、添付の特許請求の範囲の枠組み内に含まれる。
【図１】
0006718514.tif 000002
【図２】
0006718514.tif 000003
【図３】
0006718514.tif 000004
【図４】
0006718514.tif 000005
【図５】
0006718514.tif 000006
【図６】
0006718514.tif 000007
【図７】
0006718514.tif 000008
【図８】
0006718514.tif 000009
【図９】
0006718514.tif 000010
【図１０】
0006718514.tif 000011
【図１１】
0006718514.tif 000012
【図１２】
0006718514.tif 000013